(57)【要約】【課題】上位系統括制御システムで系統設備データベースを一元管理し、運用保守員が実施していた業務内容を代行する電力系統監視制御システムを提供する。【解決手段】複数の制御所システムと階層構造をなす複数の上位系統括制御システムとが広域ネットワーク装置に接続されている電力系統監視制御システムにおいて、上位系統括制御システムは、監視制御対象の系統設備に関する設備定義情報を格納する系統設備データベースと設備定義情報の更新に必要な情報収集を行う情報収集手段を有し、各制御所システムは、監視制御対象の系統設備に関する設備定義情報を格納する系統設備データベースを有し、上位系統括制御システムで指定した制御所システムに対する設備定義更新に関する情報収集を情報収集手段により行うので、広域ネットワーク装置を用いた情報伝送と情報収集手段を利用し、制御所システムの情報収集を漏れなく代行することができる。【選択図】  図１
2004312874.tif 000002
【特許請求の範囲】
【請求項１】
同一の電力系統の監視制御を行う複数の制御所システムと、この制御所システムと階層構造をなす複数の上位系統括制御システムとが広域ネットワーク装置に接続されている電力系統監視制御システムにおいて、前記上位系統括制御システムは、監視制御対象の系統設備に関する設備定義情報を格納する系統設備データベースと、前記設備定義情報の更新に伴い更新対象となる制御所システムの指定を行う設備メンテナンスマンマシン手段と、前記設備定義情報の更新に必要な情報収集を行う情報収集手段と、前記系統設備データベースの更新を行うデータベース更新手段とを有し、前記制御所システムは、収集する情報を入力する情報収集マンマシン手段と、監視制御の対象とする系統設備に関する設備定義情報を格納する系統設備データベースとを有し、前記上位系統括制御システムで指定した制御所システムに対する設備定義更新に関する情報収集を前記情報収集手段により行うことを特徴とする電力系統監視制御システム。
【請求項２】
請求項１記載の電力系統監視制御システムにおいて、広域ネットワーク装置を介して接続する全制御所システムを監視制御対象とする系統設備の設備定義情報を一まとめに格納する上位系統括制御システムの系統設備データベースと、上位系統括制御システムの系統設備データベースに対する更新と共に各制御所システムの系統設備データベースの更新を行うデータベース一元管理手段を備え、前記制御所システムのすべての系統設備に関する設備定義情報を一元管理することを特徴とする電力系統監視制御システム。
【請求項３】
請求項２記載の電力系統監視制御システムにおいて、設備メンテナンスマンマシン手段による情報収集は、設備定義情報の更新を行う系統設備データベースと、選択された系統設備に関する情報収集先となる制御所システムを判定する情報収集先判定手段と、系統設備と情報収集先との関係付けを保存する収集先関係付けデータを備え、設備定義情報の更新を行う際の情報収集要否と情報収集先の判定を行うことを特徴とする電力系統監視制御システム。
【請求項４】
請求項３記載の電力系統監視制御システムにおいて、情報収集対象となる設備定義情報を制御所システム毎に編集する情報収集編集手段を備え、設備定義情報更新は複数の設備定義情報に関する情報収集を制御所システム毎に一括して情報収集することにより行うことを特徴とする電力系統監視制御システム。
【請求項５】
請求項４記載の電力系統監視制御システムにおいて、制御所システムへの情報収集結果を更新対象の設備定義情報単位に編集し直す収集結果解析手段と、設備定義情報単位に編集し直した情報を保存する収集結果編集データを備え、複数の制御所システムからの情報収集結果を設備定義情報単位にまとめることを特徴とする電力系統監視制御システム。
【請求項６】
請求項５記載の電力系統監視制御システムにおいて、情報収集先の制御所システムへの情報収集を行うよう要求する情報収集送信管理手段と、要求した情報収集の取得状況を保存する送信管理データを備え、情報収集に関する制御所システムからの情報収集の取得状況を監視することを特徴とする電力系統監視制御システム。
【請求項７】
請求項６記載の電力系統監視制御システムにおいて、収集結果編集データを用いて制御所システム間の不整合や、設備定義に対する許容値の逸脱をチェックする収集結果チェック手段を備え、情報収集結果に対するチェックを行うことを特徴とする電力系統監視制御システム。
【請求項８】
請求項７記載の電力系統監視制御システムにおいて、収集結果編集データを用いて制御所システム毎に再情報収集を行うためのデータを編集する収集結果調整手段と、前記収集結果調整手段によりチェック済みの収集結果を保存する調整済み結果編集データを備え、収集結果が異常な場合の再情報収集の再実行を行うことを特徴とする電力系統監視制御システム。
【請求項９】
請求項８記載の電力系統監視制御システムにおいて、収集結果調整手段を用いて設備定義情報の更新要求を行う更新内容決定手段を備え、制御所システムから得た情報収集結果を基に系統設備データベースの更新を行い、系統設備データベース更新を行うことを特徴とする電力系統監視制御システム。
【請求項１０】
複数の制御所システムと、この制御所システムと階層構造をなす複数の上位系統括制御システムとが広域ネットワーク装置に接続されている電力系統の監視制御を行う電力系統監視制御方法において、前記上位系統括制御システムの系統設備データベースは、監視制御対象の系統設備に関する設備定義情報を格納するステップと、設備メンテナンスマンマシン手段により前記設備定義情報の更新と更新対象となる制御所システムの指定を行うステップと、データベース更新手段により前記設備定義情報の更新に必要な情報収集と前記系統設備データベースの更新を行うステップと、前記制御所システムの情報収集マンマシン手段により、収集する情報を入力し、監視制御の対象とする系統設備に関する設備定義情報を系統設備データベースに格納するステップと、前記上位系統括制御システムで指定した制御所システムに対する設備定義更新に関する情報収集を前記情報収集手段により行うステップを有することを特徴とする電力系統監視制御方法。
【請求項１１】
請求項１０記載の電力系統監視制御方法において、上位系統括制御システムの系統設備データベースに広域ネットワーク装置を介して接続する全制御所システムを監視制御対象とする系統設備の設備定義情報を一まとめに格納するステップと、この系統設備データベースに対する更新と各制御所システムの系統設備データベースの更新をデータベース一元管理手段で行うステップと、前記制御所システムのすべての系統設備に関する設備定義情報を一元管理するステップを有することを特徴とする電力系統監視制御方法。
【請求項１２】
請求項１１記載の電力系統監視制御方法において、設備メンテナンスマンマシン手段による情報収集は、系統設備データベースにより設備定義情報の更新を行うステップと、情報収集先判定手段により選択された系統設備に関する情報収集先となる制御所システムを判定するステップと、系統設備と情報収集先との関係付けを収集先関係付けデータに保存し、情報収集要否と情報収集先を判定するステップを有することを特徴とする電力系統監視制御方法。
【請求項１３】
請求項１２記載の電力系統監視制御方法において、情報収集編集手段により情報収集対象となる設備定義情報を制御所システム毎に編集するステップと、複数の設備定義情報に関する情報収集を制御所システム毎に一括して情報収集することにより設備定義情報更新を行うステップを有することを特徴とする電力系統監視制御方法。
【請求項１４】
請求項１３記載の電力系統監視制御方法において、収集結果解析手段により制御所システムへの情報収集結果を更新対象の設備定義情報単位に編集し直すステップと、この編集し直した情報を収集結果編集データに保存し、複数の制御所システムからの情報収集結果を設備定義情報単位にまとめるステップを有することを特徴とする電力系統監視制御方法。
【請求項１５】
請求項１４記載の電力系統監視制御方法において、情報収集送信管理手段により、集情報収先の制御所システムへの情報収集を行うよう要求するステップと、この要求した情報収集の取得状況を送信管理データに保存し、情報収集に関する制御所システムからの情報収集の取得状況を監視するステップを有することを特徴とする電力系統監視制御方法。
【請求項１６】
請求項１５記載の電力系統監視制御方法において、収集結果チェック手段により収集結果編集データを用いて制御所システム間の不整合や、設備定義に対する許容値の逸脱をチェックするステップと、情報収集結果に対するチェックを行うステップを有することを特徴とする電力系統監視制御方法。
【請求項１７】
請求項１６記載の電力系統監視制御方法において、収集結果調整手段により収集結果編集データを用いて制御所システム毎に再情報収集を行うためのデータを編集するステップと、前記収集結果調整手段によりチェック済みの収集結果を調整済み結果編集データに保存し、収集結果が異常な場合の再情報収集の再実行を行うステップを有することを特徴とする電力系統監視制御方法。
【請求項１８】
請求項１７記載の電力系統監視制御方法において、更新内容決定手段により設備定義情報の更新要求を行うステップと、制御所システムから得た情報収集結果を基に系統設備データベースの更新を行うステップを有することを特徴とする電力系統監視制御方法。
【請求項１９】
電力系統監視制御システムの系統設備の設備定義情報の更新と系統設備毎に指定する情報収集先の制御所システムの指定を受け、広域ネットワーク装置を介して情報収集を実行するコンピュータプログラムであって、情報収集の対象となる制御所システムに移動し、更新対象の設備定義情報及び系統設備データベースを参照して得られる関係する設備定義情報を収集し、移動した先の制御所システムの情報収集マンマシン手段に受け渡し、この受け渡された情報をもとに更新を行う設備定義情報及び関連の系統設備として抽出した設備定義情報に関する情報を収集し、移動元の上位系統括制御システムに再度移動して、設備メンテナンスマンマシン手段に収集結果を通知する機能をコンピュータに実行させるコンピュータプログラム。
【請求項２０】
電力系統監視制御システムの制御所システム単位毎の情報収集先とこの情報収集先に関連するデータを用いて情報収集先を判定するコンピュータプログラムであって、各設備定義情報に対する情報収集先を保存し、要求のあった更新対象の設備定義情報の数だけ繰り返し行い、その結果をもとに情報収集先のアドレスをキーとした情報に情報収集内容の並び替えをし、この並び替えられた保存内容を情報収集先である制御所システム毎に一まとめにし、情報収集を行う制御所システムの数だけ前記制御所システム単位の情報を受け渡す情報収集を要求する機能をコンピュータに実行させるコンピュータプログラム。
【請求項２１】
電力系統監視制御システムの情報収集送信管理の開始時刻と情報収集対象先の制御所システムを識別する情報を送信管理データに保存するコンピュータプログラムであって、情報収集の要求を設定し、この要求により制御所システムに移動して情報収集を行い、その収集結果を得た場合は情報収集ができたことを通知し、この収集結果の通知を受けた時点で送信管理データに保存してある要求を行った情報収集に関するデータを削除し、動作時に送信管理データに保存してある要求開始時刻と現在時刻とを比較し、一定時間経過しても収集結果を得ることができなかった場合には再度情報収集を要求し、送信管理データにリトライ回数を保存し、情報収集に関する収集結果の通知が得られるまで再要求を繰り返し行い、リトライ回数が一定回数を超えた時点で情報収集不可と判定してその結果を通知することで情報収集に関する管理を行う機能をコンピュータに実行させるコンピュータプログラム。
【請求項２２】
電力系統監視制御システムの情報収集結果をチェックするコンピュータプログラムであって、設備定義情報に保存された各設備定義項目に対する制御所システム毎の収集結果と系統設備データベース内にて系統設備の種類毎に定義されている機器等の系統設備データベースに格納可能な許容値とを比較し、この比較により異常と判定された場合にはそのチェック結果を通知し、正常と判定された場合には系統設備の定義情報など複数の制御所システムに対して要求した情報と系統設備データベースより参照可能な系統設備定義情報毎に関連する機器に関して、制御所システム間での収集結果が一致しているか否かその関連機器に関する電圧階級の定義内容が一致しているか等の整合性チェックを行い、この整合性チェックにて異常と判定された収集結果を通知する機能をコンピュータに実行させるコンピュータプログラム。
【請求項２３】
電力系統監視制御システムの情報収集の結果を調整するコンピュータプログラムであって、収集結果編集データにて設備定義情報単位に一まとめに編集されたデータをもとに、各設備定義情報に関する収集結果が正常か異常かをチェックし、その結果チェック異常の場合は、チェック内容及び異常となった原因を通知し、このチェック結果をもとに異常な収集結果を収集した制御所システムに対して再度情報収集を行うようチェック内容及び異常となった原因を付け加えて情報収集を要求し、再度情報収集を行った際の収集結果保存データをもとにチェック済みの収集結果を調整済み結果編集データに設備定義情報単位に保存する機能をコンピュータに実行させるコンピュータプログラム。
【請求項２４】
電力系統監視制御システムの更新内容を決定するコンピュータプログラムであって、調整済み結果編集データを参照してチェック済みの異常のないデータをもとに系統設備データベースを更新する機能をコンピュータに実行させるコンピュータプログラム。
【発明の詳細な説明】
【０００１】
【発明の属する技術分野】
本発明は、電力系統に設置されている電力機器及び計測機器などの監視制御を行う電力系統監視制御システムとその制御方法及びそのプログラムに関する。
【０００２】
【従来の技術】
従来の電力系統監視制御システムは、図２３に示すように、同一の電力系統の全てまたは一部の監視制御を行う複数の制御所システムＡ，Ｂ，Ｃ（１２〜１４）と、これら複数の制御所システムＡ，Ｂ，Ｃ（１２〜１４）と階層構造をなす複数の上位系統括制御システム（１１）が広域ネットワーク装置（１５）を介して接続される構成となっている。この上位系統括制御システム（１１）及び制御所システムＡ，Ｂ，Ｃ（１２〜１４）には、各々のシステム（１１〜１４）が監視制御の対象としている系統設備の設備定義情報を保存する系統設備データベース（２０１）と、各々のシステム（１１〜１４）の運用保守員が設備定義情報の更新に関する入力作業を行う設備メンテナンスマンマシン手段（２０２）と、系統設備データベース（２０１）への更新を行うデータベース更新手段（２０３）を備えている。
【０００３】
次に、従来の電力系統設備の設備定義情報の更新手順について説明する。
設備定義情報の更新が必要となった場合は、更新対象の設備定義情報を監視制御の対象としている全てのシステム（１１〜１４）で同じ時期に同じ内容で設備定義情報更新の作業を実施する必要がある。そのため、設備定義情報の更新に必要な情報を制御所システム（１２〜１４）の運用保守員や上位系統括制御システム（１１）の運用保守員の間で電話やメール、ＦＡＸなどの交信手段を利用して互いに連絡を取り合ったり、打ち合わせをすることで更新に必要な情報の統一をシステム（１１〜１４）間で図り共有するようにしている。また、情報収集を行った結果を設備定義情報の更新に関する内容としてまとめ、各システムの運用保守員が各々のシステムに備えられている設備メンテナンスマンマシン手段（２０２）及びデータベース更新手段（２０３）を用いて、各々のシステム（１１〜１４）が所有している系統設備データベース（２０１）への更新作業を実施し、系統設備データベース（２０１）の内容を各システム（１１〜１４）間で統一するようにしている。
【０００４】
【発明が解決しようとする課題】
しかしながら、従来の設備メンテナンス方式では、同一の電力系統を監視制御の対象とする複数システムの系統設備データベースの更新作業を行う場合、各システムの運用保守員にて更新に必要な情報収集やシステム間での意見調整、最終的な更新内容の決定等の作業を行う必要があるが、これらの作業は煩雑であり生産性が悪い等の欠点があり、解決すべき課題となっていた。
【０００５】
本発明は、その課題を解決するために、上位系統括制御システムで系統設備データベースを一元管理すると共に、運用保守員が実施していた業務内容の代行を可能とする電力系統監視制御システムとその制御方法及びそのプログラムを提供することにある。
【０００６】
【課題を解決するための手段】
請求項１記載の発明は、同一の電力系統の監視制御を行う複数の制御所システムと、前記制御所システムと階層構造をなす複数の上位系統括制御システムとが広域ネットワーク装置に接続されている電力系統監視制御システムにおいて、前記上位系統括制御システムは、監視制御対象の系統設備に関する設備定義情報を格納する系統設備データベースと、前記設備定義情報の更新に伴い更新対象となる制御所システムの指定を行う設備メンテナンスマンマシン手段と、前記設備定義情報の更新に必要な情報収集を行う情報収集手段と、前記系統設備データベースの更新を行うデータベース更新手段とを有し、前記制御所システムは、収集する情報を入力する情報収集マンマシン手段と、監視制御の対象とする系統設備に関する設備定義情報を格納する系統設備データベースとを有し、前記上位系統括制御システムで指定した制御所に対する設備定義更新に関する情報収集を前記情報収集手段により行うことを特徴とする。
【０００７】
請求項１によると、運用保守員が設備定義情報の更新を行う場合、更新を行う系統設備と更新に関する情報収集先の制御所システムの選択を行うことで、広域ネットワーク装置を用いた情報伝送と情報収集手段及び制御所システム側のマンマシン機能を利用し、制御所システムの運用保守員に対する情報収集を漏れなく代行することが可能となる。
【０００８】
請求項２記載の発明は、請求項１記載の電力系統監視制御システムにおいて、広域ネットワーク装置を介して接続する全制御所システムを監視制御対象とする系統設備の設備定義情報を一まとめに格納する上位系統括制御システムの系統設備データベースと、上位系統括制御システムの系統設備データベースに対する更新と共に各制御所システムの系統設備データベースの更新を行うデータベース一元管理手段を備え、前記制御所システムのすべての系統設備に関する設備定義情報を一元管理することを特徴とする。
【０００９】
請求項２によると、上位系統括制御システムにおける系統設備の設備定義情報の更新が広域ネットワーク装置を介して接続された複数の制御所システムの系統設備データベース（制御所毎）にも反映されることから、全てのシステムでの系統設備データベースを一元管理でき、システム間での統一が図れる。
【００１０】
請求項３記載の発明は、請求項２記載の電力系統監視制御システムにおいて、設備メンテナンスマンマシン手段による情報収集は、設備定義情報の更新を行う系統設備と、選択された系統設備に関する情報収集先となる制御所システムを判定する情報収集先判定手段と、系統設備と情報収集先との関係付けを保存する収集先関係付けデータを備え、設備定義情報の更新を行う際の情報収集要否と情報収集先の判定を情報収集により行うことを特徴とする。
【００１１】
請求項３によると、運用保守員が設備定義情報の更新を行う系統設備を選択するのみで、当該系統設備に関する設備定義の更新作業が制御所システムの運用保守員から情報収集が必要か否かを判定し、その情報収集をどの制御所システムに対して行えばよいかを判定することになり、情報収集要否とその収集先を調査する業務を代行することが可能となる。
【００１２】
請求項４記載の発明は、請求項３記載の電力系統監視制御システムにおいて、情報収集対象となる設備定義情報を制御所システム毎に編集する情報収集編集手段を備え、設備定義情報更新は複数の設備定義情報に関する情報収集を制御所システム毎に一括して情報収集することを情報収集により行うことを特徴とする。
【００１３】
請求項４によると、情報収集を行う系統設備の設備定義情報を、情報収集先の制御所システム毎にまとめることになるので、複数の問い合わせ事項をデータ送信先の制御システム毎にまとめる作業を代行することができる。
【００１４】
請求項５記載の発明は、請求項４記載の電力系統監視制御システムにおいて、制御所システムへの情報収集結果を更新対象の設備定義情報単位に編集し直す収集結果解析手段と、設備定義情報単位に編集し直した情報を保存する収集結果編集データを備え、複数の制御所システムからの情報収集結果を設備定義情報単位にまとめることを特徴とする。
【００１５】
請求項５によると、制御所システム単位に情報収集した結果を、系統設備の設備定義情報単位に再編集し直すことになり、複数の制御所システムに対して同一系統設備に関する情報収集を行った場合など、情報収集結果を系統設備データベースへ更新する単位に情報がまとまり、系統設備データベース更新に利用し易い形態に情報をまとめる作業を代行することができる。
【００１６】
請求項６記載の発明は、請求項５記載の電力系統監視制御システムにおいて、情報収集先の制御所システムへの情報収集を行うよう要求する情報収集送信管理手段と、要求した情報収集の取得状況を保存する送信管理データを備え、情報収集に関する制御所システムからの返信を監視することを特徴とする。
【００１７】
請求項６によると、情報収集のデータ送信を行った時刻から情報収集結果を受信するまでの経過時間を監視し、監視時間以内に情報収集結果を受信できなかった場合に再度情報収集のデータ送信を行うことで、情報収集に関するデータ送信と情報収集結果受信に関する監視を運用保守員に代行して行うことができる。
【００１８】
請求項７によると、系統設備の設備定義情報単位にまとめられた情報収集結果を基に制御所システム間における整合性チェックや許容値チェックを行い、収集した結果における各種チェックを運用保守員に代行して行うことが可能となる。
【００１９】
請求項７記載の発明は、請求項６記載の電力系統監視制御システムにおいて、収集結果編集データを用いて制御所システム間の不整合や、設備定義に対する許容値の逸脱をチェックする収集結果チェック手段を備え、情報収集結果に対するチェックを情報収集により行うことを特徴とする。
【００２０】
請求項８記載の発明は、請求項７記載の電力系統監視制御システムにおいて、収集結果編集データを用いて制御所システム毎に再情報収集を行うためのデータを編集する収集結果調整手段と、前記収集結果調整手段によりチェック済みの収集結果を保存する調整済み結果編集データを備え、収集結果が異常な場合の再情報収集の再実行を情報収集により行うことを特徴とする
請求項８によると、情報収集結果に対するチェックで異常となった場合の再情報収集を要求し、チェックで正常となった収集結果を編集結果として保存することで、制御所システム間の調整や収集結果異常時の再収集を運用保守員に代行して行うことが可能となる。
【００２１】
請求項９記載の発明は、請求項８記載の電力系統監視制御システムにおいて、収集結果調整手段を用いて設備定義情報の更新要求を行う更新内容決定手段を備え、制御所システムから得た情報収集結果を基に系統設備データベースの更新を行い、系統設備データベース更新を情報収集により行うことを特徴とする。
【００２２】
請求項９によると、情報収集及び収集結果のチェック、再情報収集により制御所システム間での調整を代行して行うことができるため、代行処理と系統設備データベースに対する更新の処理を関連付けることで、系統設備データベース更新に関する作業をも運用保守員に代行して行うことができる。
【００２３】
請求項１０記載の発明は、複数の制御所システムと、この制御所システムと階層構造をなす複数の上位系統括制御システムとが広域ネットワーク装置に接続されている電力系統の監視制御を行う電力系統監視制御方法において、前記上位系統括制御システムの系統設備データベースは、監視制御対象の系統設備に関する設備定義情報を格納するステップと、設備メンテナンスマンマシン手段により前記設備定義情報の更新と更新対象となる制御所システムの指定を行うステップと、データベース更新手段により前記設備定義情報の更新に必要な情報収集と前記系統設備データベースの更新を行うステップと、前記制御所システムの情報収集マンマシン手段により、収集する情報を入力し、監視制御の対象とする系統設備に関する設備定義情報を系統設備データベースに格納するステップと、前記上位系統括制御システムで指定した制御所システムに対する設備定義更新に関する情報収集を前記情報収集手段により行うステップを有することを特徴とする。
【００２４】
請求項１０によると、運用保守員が設備定義情報の更新を行う場合、更新を行う系統設備と更新に関する情報収集先の制御所システムの選択を行うことで、広域ネットワーク装置を用いた情報伝送と情報収集手段及び制御所システム側のマンマシン機能を利用し、制御所システムの運用保守員に対する情報収集を漏れなく代行することが可能となる。
【００２５】
請求項１１記載の発明は、請求項１０記載の電力系統監視制御方法において、上位系統括制御システムの系統設備データベースに広域ネットワーク装置を介して接続する全制御所システムを監視制御対象とする系統設備の設備定義情報を一まとめに格納するステップと、この系統設備データベースに対する更新と各制御所システムの系統設備データベースの更新をデータベース一元管理手段で行うステップと、前記制御所システムのすべての系統設備に関する設備定義情報を一元管理するステップを有することを特徴とする。
【００２６】
請求項１１によると、上位系統括制御システムにおける系統設備の設備定義情報の更新が広域ネットワーク装置を介して接続された複数の制御所システムの系統設備データベース（制御所毎）にも反映されることから、全てのシステムでの系統設備データベースを一元管理でき、システム間での統一が図れる。
【００２７】
請求項１２記載の発明は、請求項１１記載の電力系統監視制御方法において、設備メンテナンスマンマシン手段による情報収集は、系統設備データベースにより設備定義情報の更新を行うステップと、情報収集先判定手段により選択された系統設備に関する情報収集先となる制御所システムを判定するステップと、系統設備と情報収集先との関係付けを収集先関係付けデータに保存し、情報収集要否と情報収集先を判定するステップを有することを特徴とする。
【００２８】
請求項１２によると、運用保守員が設備定義情報の更新を行う系統設備を選択するのみで、当該系統設備に関する設備定義の更新作業が制御所システムの運用保守員から情報収集が必要か否かを判定し、その情報収集をどの制御所システムに対して行えばよいかを判定することになり、情報収集要否とその収集先を調査する業務を代行することが可能となる。
【００２９】
請求項１３記載の発明は、請求項１２記載の電力系統監視制御方法において、情報収集編集手段により情報収集対象となる設備定義情報を制御所システム毎に編集するステップと、複数の設備定義情報に関する情報収集を制御所システム毎に一括して情報収集することにより設備定義情報更新を行うステップを有することを特徴とする。
【００３０】
請求項１３によると、情報収集を行う系統設備の設備定義情報を、情報収集先の制御所システム毎にまとめることになるので、複数の問い合わせ事項をデータ送信先の制御システム毎にまとめる作業を代行することができる。
【００３１】
請求項１４記載の発明は、請求項１３記載の電力系統監視制御方法において、収集結果解析手段により制御所システムへの情報収集結果を更新対象の設備定義情報単位に編集し直すステップと、この編集し直した情報を収集結果編集データに保存し、複数の制御所システムからの情報収集結果を設備定義情報単位にまとめるステップを有することを特徴とする。
【００３２】
請求項１４によると、制御所システム単位に情報収集した結果を、系統設備の設備定義情報単位に再編集し直すことになり、複数の制御所システムに対して同一系統設備に関する情報収集を行った場合など、情報収集結果を系統設備データベースへ更新する単位に情報がまとまり、系統設備データベース更新に利用し易い形態に情報をまとめる作業を代行することができる。
【００３３】
請求項１５記載の発明は、請求項１４記載の電力系統監視制御方法において、情報収集送信管理手段により、集情報収先の制御所システムへの情報収集を行うよう要求するステップと、この要求した情報収集の取得状況を送信管理データに保存し、情報収集に関する制御所システムからの情報収集の取得状況を監視するステップを有することを特徴とする。
【００３４】
請求項１５によると、情報収集のデータ送信を行った時刻から情報収集結果を受信するまでの経過時間を監視し、監視時間以内に情報収集結果を受信できなかった場合に再度情報収集のデータ送信を行うことで、情報収集に関するデータ送信と情報収集結果受信に関する監視を運用保守員に代行して行うことができる。
【００３５】
請求項１６記載の発明は、請求項１５記載の電力系統監視制御方法において、収集結果チェック手段により収集結果編集データを用いて制御所システム間の不整合や、設備定義に対する許容値の逸脱をチェックするステップと、情報収集結果に対するチェックを行うステップを有することを特徴とする。
【００３６】
請求項１７記載の発明は、請求項１６記載の電力系統監視制御方法において、収集結果調整手段により収集結果編集データを用いて制御所システム毎に再情報収集を行うためのデータを編集するステップと、前記収集結果調整手段によりチェック済みの収集結果を調整済み結果編集データに保存し、収集結果が異常な場合の再情報収集の再実行を行うステップを有することを特徴とする。
【００３７】
請求項１７によると、情報収集結果に対するチェックで異常となった場合の再情報収集を要求し、チェックで正常となった収集結果を編集結果として保存することで、制御所システム間の調整や収集結果異常時の再収集を運用保守員に代行して行うことが可能となる。
【００３８】
請求項１８記載の発明は、請求項１７記載の電力系統監視制御方法において、更新内容決定手段により設備定義情報の更新要求を行うステップと、制御所システムから得た情報収集結果を基に系統設備データベースの更新を行うステップを有することを特徴とする。
【００３９】
請求項１８によると、情報収集及び収集結果のチェック、再情報収集により制御所システム間での調整を代行して行うことができるため、代行処理と系統設備データベースに対する更新の処理を関連付けることで、系統設備データベース更新に関する作業をも運用保守員に代行して行うことができる。
【００４０】
請求項１９記載の発明は、電力系統監視制御システムの系統設備の設備定義情報の更新と系統設備毎に指定する情報収集先の制御所システムの指定を受け、広域ネットワーク装置を介して情報収集を実行するコンピュータプログラムであって、情報収集の対象となる制御所システムに移動し、更新対象の設備定義情報及び系統設備データベースを参照して得られる関係する設備定義情報を収集し、移動した先の制御所システムの情報収集マンマシン手段に受け渡し、この受け渡された情報をもとに更新を行う設備定義情報及び関連の系統設備として抽出した設備定義情報に関する情報を収集し、移動元の上位系統括制御システムに再度移動して、設備メンテナンスマンマシン手段に収集結果を通知する機能をコンピュータに実行させる。
【００４１】
請求項１９によると、系統設備の設備定義情報の更新を行う際に、更新を行う系統設備と、更新に必要な情報の収集先制御所システムの選択を行うのみで、制御所システム側にて関連した定義情報の抽出を行い情報収集マンマシン手段と共に更新に必要な情報収集を自動的に行うことが可能となる。
【００４２】
請求項２０記載の発明は、電力系統監視制御システムの制御所システム単位毎の情報収集先とこの情報収集先に関連するデータを用いて情報収集先を判定するコンピュータプログラムであって、各設備定義情報に対する情報収集先を保存し、要求のあった更新対象の設備定義情報の数だけ繰り返し行い、その結果をもとに情報収集先のアドレスをキーとした情報に情報収集内容の並び替えをし、この並び替えられた保存内容を情報収集先である制御所システム毎に一まとめにし、情報収集を行う制御所システムの数だけ前記制御所システム単位の情報を受け渡す情報収集を要求する機能をコンピュータに実行させる。
【００４３】
請求項２０によると、設備メンテナンスマンマシン手段から、上位系統括制御システムの運用保守員が選択した一つまたは複数の更新対象とする設備定義情報を情報収集編集手段に受け渡し、情報収集先判定手段を用いて情報収集先を判定し、判定した情報収集先を運用保守員に代行して制御所システム単位に編集し直して情報収集手段へ情報収集を要求することで、制御所システムへの情報収集の効率化を図ることができる。
【００４４】
請求項２１記載の発明は、電力系統監視制御システムの情報収集送信管理の開始時刻と情報収集対象先の制御所システムを識別する情報を送信管理データに保存するコンピュータプログラムであって、情報収集の要求を設定し、この要求により制御所システムに移動して情報収集を行い、その収集結果を得た場合は情報収集ができたことを通知し、この収集結果の通知を受けた時点で送信管理データに保存してある要求を行った情報収集に関するデータを削除し、動作時に送信管理データに保存してある要求開始時刻と現在時刻とを比較し、一定時間経過しても収集結果を得ることができなかった場合には再度情報収集を要求し、送信管理データにリトライ回数を保存し、情報収集に関する収集結果の通知が得られるまで再要求を繰り返し行い、リトライ回数が一定回数を超えた時点で情報収集不可と判定してその結果を通知することで情報収集に関する管理を行う機能をコンピュータに実行させる。
【００４５】
請求項２１によると、設備定義情報に関する情報収集を情報収集編集手段が情報収集先判定手段と収集先関係付けデータにより収集対象の制御所システム毎に情報を一まとめに編集した後に、各々の制御所システムに対する情報収集の要求時刻、要求箇所を送信管理データに保存し、要求時刻から一定時間経過しても情報収集結果を取得できない場合は、再度情報収集エージェントプログラムに対して再度情報収集を要求する。情報収集エージェントプログラムは情報収集が正常に行えない場合には情報収集の再要求を行う際には前回要求時とは別経路により同一制御所システムへの情報収集の要求を行ったり、監視時間の延長を行った後に再要求を行う。情報収集依頼を行った制御所システムにおいて、入力作業が滞っていることが原因などで収集結果が取得できない場合は、制御所システム側の保守運転員に対して情報収集の催促を行うため、情報収集に関する結果取得に関する監視や催促の作業を情報収集の依頼を行ったシステムの運用保守員に代行して行えることができる。
【００４６】
請求項２２記載の発明は、電力系統監視制御システムの情報収集結果をチェックするコンピュータプログラムであって、設備定義情報に保存された各設備定義項目に対する制御所システム毎の収集結果と系統設備データベース内にて系統設備の種類毎に定義されている機器等の系統設備データベースに格納可能な許容値とを比較し、この比較により異常と判定された場合にはそのチェック結果を通知し、正常と判定された場合には系統設備の定義情報など複数の制御所システムに対して要求した情報と系統設備データベースより参照可能な系統設備定義情報毎に関連する機器に関して、制御所システム間での収集結果が一致しているか否かその関連機器に関する電圧階級の定義内容が一致しているか等の整合性チェックを行い、この整合性チェックにて異常と判定された収集結果を通知する機能をコンピュータに実行させる。
【００４７】
請求項２２によると、設備定義情報に関する情報収集を情報収集編集手段が情報収集先判定手段と収集先関係付けデータにより収集対象の制御所システム毎に情報を一まとめに編集し、各々の制御所システムに対する情報収集の要求時刻、要求箇所を送信管理データに保存することで、情報収集に対する結果収集の監視を時間の経過と共に行いながら、情報収集エージェントプログラムにより制御所システムより情報収集を行った結果が収集結果解析手段により設備定義情報単位に収集結果編集データに保存され、この収集結果編集データを用いて収集結果チェック手段が制御所システム間での整合性チェックや設備定義項目と許容値との比較チェックを実施し、収集結果とチェック実施結果を通知を行うことで、運用保守員に代行し収集結果のチェックを行うことができる。
【００４８】
請求項２３記載の発明は、電力系統監視制御システムの情報収集の結果を調整するコンピュータプログラムであって、収集結果編集データにて設備定義情報単位に一まとめに編集されたデータをもとに、各設備定義情報に関する収集結果が正常か異常かをチェックし、その結果チェック異常の場合は、チェック内容及び異常となった原因を通知し、このチェック結果をもとに異常な収集結果を収集した制御所システムに対して再度情報収集を行うようチェック内容及び異常となった原因を付け加えて情報収集を要求し、再度情報収集を行った際の収集結果保存データをもとにチェック済みの収集結果を調整済み結果編集データに設備定義情報単位に保存する機能をコンピュータに実行させる。
【００４９】
請求項２３によると、情報収集手段により収集した結果を収集結果編集手段により設備定義情報単位に編集し直した収集結果保存データを参照し、収集結果チェック手段を用いて制御所システム間での整合性チェックや許容値に対する逸脱チェックを行い、チェック異常の収集結果に関する再情報収集要求を行うことにより、収集結果が異常な場合の再情報収集を行う作業を運用保守員に代行して行うことができる。
【００５０】
請求項２４記載の発明は、電力系統監視制御システムの更新内容を決定するコンピュータプログラムであって、調整済み結果編集データを参照してチェック済みの異常のないデータをもとに系統設備データベースを更新する機能をコンピュータに実行させる。
【００５１】
請求項２４によると、収集結果編集手段が設備定義情報単位で編集した収集結果が収集結果チェック手段によりチェックされ、チェック後の制御所システム間で整合がとれた異常のないデータを更新内容決定手段により系統設備データベースに反映する作業を運用保守員に代行して行うことができる。
【００５２】
【発明の実施の形態】
以下、本発明の実施の形態を図を参照して説明する。
図１は、本発明の第１実施形態（請求項１及び請求項１０対応）の電力系統監視制御システムの構成図である。
【００５３】
本実施形態の電力系統監視制御システムは、電力系統の監視制御を行う複数の制御所システムＡ，Ｂ，Ｃ（１２〜１４）と、複数の制御所システムＡ，Ｂ，Ｃ（１２〜１４）を統括してより広範囲な電力系統の監視制御を行う上位系統括制御システム（１１）と、これらシステム１１〜１４と接続する広域ネットワーク装置（１５）とから構成されている。
【００５４】
上位系統括制御システム（１１）は、系統設備の設備定義情報を保存する系統設備データベース（１１１）と、上位系統括制御システム（１１）の運用保守員により更新を行う設備定義情報の指定を行う設備メンテナンスマンマシン手段（１１２）と、系統設備データベース（１１１）への更新を行うデータベース更新手段（１１３）と、広域ネットワーク装置（１５）を介して制御所システムからの情報収集を行う情報収集手段の情報収集エージェントプログラム（１１４）と、この情報収集エージェントプログラムの動作とシステム間の移動をするための動作環境を提供するエージェントプログラム動作手段（１１５）とから構成されている。
【００５５】
また、個々の制御所システム（１２〜１４）は、監視・制御対象とする系統設備の設備定義情報のみを格納する系統設備データベース（制御所毎）（１２１）と、制御所システム（１２〜１４）側で収集を行う情報の入力を運用保守員が行える情報収集マンマシン手段（１２２）と、広域ネットワーク装置（１５）を介して制御所システムからの情報収集を行う情報収集手段の情報収集エージェントプログラム（１１４）と、この情報収集エージェントプログラム（１１４）の動作とシステム間の移動をするための動作環境を提供するエージェントプログラム動作手段（１１５）とから構成されている。
【００５６】
本実施形態では上位系統括制御システム（１１）の系統設備データベース（１１１）と制御所システム（１２〜１４）の系統設備データベース（制御所毎）（１２１）は一意のデータベースである。
【００５７】
なお、本発明は図１の構成を包含する同一の電力系統の全てまたは一部を監視制御の対象とし、広域ネットワーク装置（１５）に接続された複数の制御所システム（１２〜１４）と、制御所システム（１２〜１４）と階層構造をなす複数の上位系統括制御システム（１１）を有する電力系統監視制御システムにも適用可能である。
【００５８】
図２は、電力系統上に存在する代表的な系統設備図である。
図において、電力系統上の各系統設備のうち電気所Ａ，Ｂ，Ｃは送電線Ａを介して接続されており、各電気所内には変圧器、発電機、母線といった設備やＣＢ，ＬＳといった開閉器（機器）等が存在しており、電力系統監視制御システムでは前記系統設備を系統設備データベース（１１１，１２１）において系統設備を特定するためのＩＤ情報と関係付けの定義と共に各々の属性情報を格納している。
【００５９】
図３は、系統設備データベース（１１１，１２１）内に格納している情報のうち電気所Ａ，Ｂ，Ｃ，…，Ｚと、設備Ａ，Ｂ，…，Ｎ及び機器Ａ，Ｂ，…，Ｎとの関係付けの例を表した図であり、電気所内には複数の設備と複数の機器が対応付けられている。
【００６０】
図４は、系統設備データベース（１１１，１２１）内に格納されている情報のうち、電気所内の機器Ａ，Ｂ，…，Ｙ，Ｚと設備Ａ，Ｂ，…，Ｚの関係及び電気所内の機器Ａ，Ｂ，…，Ｙ，Ｚと送電線Ａ，Ｂ，…，Ｚとの関係に加え、設備定義情報の一つである伝送装置Ａ，Ｂ，…，Ｚと電気所内の機器Ａ，Ｂ，…，Ｙ，Ｚとの関係付けの例を表した図である。
【００６１】
例えば、機器Ｂを更新対象の系統設備と指定した場合、図３及び図４より関連設備としては送電線Ｂ、伝送装置Ｂ，機器Ｙ，機器Ｚ及び電気所Ａを関連する系統設備として抽出することができる。
【００６２】
図５は、本実施形態における情報収集手段である情報収集エージェントプログラム（１１４）のフローチャート（請求項１９対応）である。
情報収集エージェントプログラム（１１４）は、更新を行う系統設備の設備定義情報と系統設備毎に指定する情報収集先の制御所システム（１２〜１４）の指定を受け、広域ネットワーク装置（１５）を介して指定制御所システム（１２〜１４）に移動し（ステップＳ１１）、更新対象としている設備定義情報及び系統設備データベース（制御所毎）（１２１）を参照することで得られる関係する設備定義情報を収集し（ステップＳ１２）、移動した先の制御所システム（１２〜１４）の情報収集マンマシン手段（１２２）に受け渡す（ステップＳ１３）。制御所システム（１２〜１４）の保守運用員が情報収集マンマシン手段（１２２）にて受け渡された情報をもとに入力作業を行うことで、更新を行う設備定義情報及び関連の系統設備として抽出した設備定義情報に関する情報収集が行われる（ステップＳ１４）。前記入力作業が完了したのちエージェントプログラムは移動元の上位系統括制御システム（１１）に再度移動し（ステップＳ１５）、設備メンテナンスマンマシン手段（１１２）に収集結果を通知する（ステップＳ１６）。
【００６３】
一方、図１に示すように、情報収集は、設備メンテナンスマンマシン手段（１１２）にて運用保守員が更新を行う系統設備と、個々の系統設備に対する情報収集先の制御所システム（１２〜１４）を指定する形式で入力を行い、情報収集エージェントプログラム（１１４）が前記指定情報を受けて制御所システム（１２〜１４）に移動する。情報収集エージェントプログラム（１１４）は、受け渡された情報をもとに移動した制御所システム（１２〜１４）において更新対象としている設備定義情報に加え関連する定義情報を系統設備データベース（制御所毎）（１２１）より収集した後、関連する情報を含めた設備定義更新に関する情報収集の依頼を情報収集マンマシン手段（１２２）へ通知する。
【００６４】
情報収集マンマシン手段（１２２）は制御所システム（１２〜１４）の運用保守員に対して、上位系統括制御システム（１１）から情報収集を要求されていることを通知すると共に、情報収集エージェントプログラム（１１４）が収集し依頼した情報を情報収集マンマシン手段（１２２）にて表示し、制御所システム（１２〜１４）の運用保守員に必要事項を入力させる。制御所システム（１２〜１４）の運用保守員により入力された情報は情報収集結果として情報収集エージェントプログラム（１１４）へと受け渡され、情報収集エージェントプログラム（１１４）は、受け渡された情報のチェックを行い、収集すべき情報に不足がある場合は再度情報収集マンマシン手段（１２２）に対して収集する情報が揃うまで繰り返し要求する。収集する情報が揃った時点で収集結果と共に送信元の上位系統括制御システム（１１）へ移動し、設備メンテナンスマンマシン手段（１１２）へ収集結果を受け渡し、設備メンテナンスマンマシン手段（１１２）により情報収集依頼を行った制御所システム（１２〜１４）に対する収集結果を運用保守員に通知することにより行われる。
【００６５】
上述したように、本実施形態によれば、系統設備の設備定義情報の更新を行う際に、更新を行う系統設備と、更新に必要な情報の収集先制御所システムの選択を行うのみで、エージェントプログラムを使用し、制御所システム（１２〜１４）側にて関連した定義情報の抽出を行い情報収集マンマシン手段（１２２）と共に更新に必要な情報収集を自動的に行うことが可能となる。
【００６６】
図６は、本発明の第２実施形態（請求項２及び請求項１１対応）の電力系統監視制御システムの構成図である。
本実施形態の電力系統監視制御システムが、図１の第１実施形態の電力系統監視制御システムと相違する構成は、上位系統括制御システム（１１）と制御所システム（１２〜１４）にそれぞれデータベース一元管理手段（１１６）を設けた点であり、その他の構成は同一であるので、同一部分には同一符号を付して説明する。
【００６７】
本実施形態では、上位系統制御システム（１１）の系統設備データベース（１１１）と、制御所システム（１２〜１４）の系統設備データベース（制御所毎）（１２１）とを一意のデータベースとして配置する代わりに、各々のシステムが監視制御の対象としている系統設備に関する設備定義情報のみを格納する系統設備データベース（１１１，１２１）と、上位系統括制御システム（１１）において実施される設備定義情報の更新を、関連する制御所システム（１２〜１４）の系統設備データベース（制御所毎）（１２１）に対して行うデータベース一元管理手段（１１６）を備えている。
このデータベース一元管理手段（１１６）の作用を図６の構成図及び図７のフローチャートを参照して説明する。
【００６８】
データベースの一元管理（１１６）は、設備メンテナンスマンマシン手段（１１２）により第１実施形態における情報収集が行われた後に、設備メンテナンスマンマシン手段（１１２）にて運用保守員により指定した系統設備に関する設備定義情報を更新する情報入力が行われ（ステップＳ２１）、入力された情報はデータベース更新手段（１１３）に受け渡される（ステップＳ２２）。データベース更新手段（１１３）は、更新を行う設備定義情報と更新内容を基に系統設備データベース（１１１）の更新を行うと共に、データベース一元管理手段（１１６）に対してデータベース更新に関する情報を受け渡す。データベース一元管理手段（１１６）は更新を行う際に情報収集を行った制御所システム（１２〜１４）に対して広域ネットワーク装置（１５）を介して制御所システム側のデータベース一元管理手段（１１６）に通知を行い、制御所システム（１２〜１４）側では、この通知を制御システム側のデータベース一元管理手段（１１６）が受け、系統設備データベース（制御所側）（１２１）への更新を行う。
【００６９】
上述したように、本実施形態によれば、上位系統括制御システム（１１）におけるデータベース一元管理手段（１１６）と、制御所システム（１２〜１４）側のデータベース一元管理手段（１１６）により、上位系統括制御システム（１１）における系統設備の設備定義情報の更新に関して、広域ネットワーク装置（１５）を介して接続された複数の制御所システム（１２〜１４）のうち、情報収集エージェントプログラム（１１４）により情報収集を行った制御所システム（１２〜１４）の系統設備データベース（制御所毎）（１２１）にも反映されることから、同一の電力系統を監視対象とするシステム間では、同一の内容のデータベースを使用することとなり、系統設備データベースを一元管理でき、システム間での統一が図れる。
【００７０】
図８は、本発明の第３実施形態（請求項３及び請求項１２対応）の電力系統監視制御システムの構成図である。
本実施形態の電力系統監視制御システムが、図６の第２実施形態の電力系統監視制御システムと相違する構成は、情報収集先判定手段（１１７）と情報収集先の判定に用いる収集先関連付けデータ（１１８）を設けた点であり、その他の構成は同一であるので、同一部分には同一符号を付して説明する。
【００７１】
本実施形態では、設備メンテナンスマンマシン手段（１１２）において更新を行う設備定義情報に関する情報収集元となる制御所システム（１２〜１４）を指定する代わりに、情報収集先判定手段（１１７）と情報収集先の判定に用いる収集先関連付けデータ（１１８）を備えている。
【００７２】
この収集先関連付けデータを図９のデータ収集先関係付け定義を示す図を参照して説明する。
収集先関連付けデータ（１１８）は設備メンテナンスマンマシン手段（１１２）を用いて更新可能であり、電気所、送電線、伝送装置に関する設備定義情報と制御所システム（１２〜１４）の宛先を特定するための情報（アドレス）との関係付けが格納されている。設備定義情報のうち電気所、送電線、伝送装置についてはこの収集先関係付けデータ（１１８）より直接情報収集先を特定することが可能である。例えば、更新対象の系統設備が電気所内に存在する機器の場合には、収集先関係付けデータ（１１８）より直接情報収集先を判定することができないため、系統設備データベース（１１１）に格納されている機器及び設備と電気所、電気所内の機器と設備、送電線、伝送装置との関連付けの情報を参照することで収集先関係付けデータ（１１８）から情報を得ることができる単位（電気所、送電線、伝送装置など）の設備定義情報を得ることで、情報収集先の制御所システム（１２〜１４）を単一または複数箇所判定することが可能となる。
【００７３】
本実施形態によれば、上位系統括制御システム（１１）の運用保守員が設備定義情報の更新を行う際に、情報収集先となる制御所システム（１２〜１４）を設備メンテナンスマンマシン手段（１１２）で指定しなくても情報収集先の判定を代行して行うことができる。
【００７４】
図１０は、本発明の第４実施形態（請求項４及び請求項１３対応）の電力系統監視制御システムの構成図である。
本実施形態の電力系統監視制御システムが、図８の第３実施形態の電力系統監視制御システムと相違する構成は、情報収集編集手段１１９を設けた点であり、その他の構成は同一であるので、同一部分には同一符号を付して説明する。
【００７５】
本実施形態では、制御所システム（１２〜１４）に対して行う複数の情報収集を設備定義情報単位毎から制御所システム（１２〜１４）単位毎となるように一まとめに編集を行う情報収集編集手段（１１９）を備えている。
この情報収集編集手段を図１１のフローチャート（請求項２０対応）を参照して説明する。
【００７６】
本実施形態では、情報収集編集手段（１１９）における制御所システム（１２〜１４）単位毎への編集は、情報収集先判定手段（１１７）及び収集先関連付けデータ（１１８）を用いて情報収集先を判定する（ステップＳ４１）と共に、各設備定義情報に対する情報収集先を記憶し保存する（ステップＳ４２）ことを、要求のあった更新対象の設備定義情報の数だけ繰り返し行った後（ステップＳ４３）、その結果をもとに情報収集先のアドレスをキーとした情報に情報収集内容の並び替えを行う（ステップＳ４４）。
【００７７】
情報収集先のアドレスをキーとして並び替えられた保存内容を情報収集先である制御所システム（１２〜１４）毎に編集した（ステップＳ４５）後、情報収集エージェントプログラム（１１４）に対して、前記制御所システム（１２〜１４）単位の情報を受け渡し情報収集を要求すること（ステップＳ４６）を情報収集を行う制御所システム（１２〜１４）の数だけ繰り返し行う（ステップＳ４７）。
【００７８】
また、情報収集編集手段（１１９）において制御所システム（１２〜１４）単位毎に編集を行う際のデータ構成は、図１２に示すように、制御所システム単位の編集データは制御所システム単位のレコードを持ち、レコード内にはキーとなる制御所システム（１２〜１４）のアドレス情報と、情報収集先の制御所システム（１２〜１４）のアドレスが同一である更新対象の設備定義情報を複数格納可能な構成となっている。
【００７９】
本実施形態によれば、設備メンテナンスマンマシン手段（１１２）から、上位系統括制御システム（１１）の運用保守員が選択した一つまたは複数の更新対象とする設備定義情報を情報収集編集手段（１１９）に受け渡し、情報収集先判定手段（１１７）を用いて情報収集先を判定し、判定した情報収集先を運用保守員に代行して制御所システム（１２〜１４）単位に編集し直して情報収集エージェントプログラム（１１４）へ情報収集を要求することで、制御所システム（１２〜１４）への情報収集の効率化を図ることができる。
【００８０】
図１３は、本発明の第５実施形態（請求項５及び請求項１４対応）の電力系統監視制御システムの構成図である。
本実施形態の電力系統監視制御システムが、図１０の第４実施形態の電力系統監視制御システムと相違する構成は、収集結果解析手段（１１Ａ）と収集結果編集データ（１１Ｂ）を設けた点であり、その他の構成は同一であるので、同一部分には同一符号を付して説明する。
【００８１】
本実施形態では、情報収集エージェントプログラム（１１４）により制御所システム（１２〜１４）に対して行った収集結果を設備メンテナンスマンマシン手段（１１２）に通知する代わりに、制御所システム（１２〜１４）単位に実施した収集結果を基に設備メンテナンスマンマシン（１１２）での入力単位である設備定義情報単位に編集し直す収集結果解析手段（１１Ａ）と、設備定義情報単位で編集し直した収集結果を保存する収集結果編集データ（１１Ｂ）を備えている。
【００８２】
本実施形態の作用を図１３の電力系統監視制御システムの構成図及び図１４の収集結果編集データの構成図を参照して説明する。
図１４は、収集結果解析手段（１１Ａ）により情報収集編集手段（１１９）及び情報収集エージェントプログラム（１１４）により制御所システム単位に収集した結果を設備定義情報単位に編集して保存する収集結果編集データ（１１Ｂ）が示されている。設備定義情報単位の編集は系統設備データベース（１１１）内にて各々の設備定義情報を特定するために付けられているＩＤ情報をキーとして一つの設備定義情報に対し複数の制御所システム（１２〜１４）からの収集結果を格納できる構成となっている。
【００８３】
本実施形態によれば、設備メンテナンスマンマシン手段（１１２）にて設備定義情報の更新を行う際に運用保守員は設備定義情報を単位として指定を行う。第４実施形態により情報収集の代行作業は情報を収集する制御所システム（１２〜１４）単位に編集されるが、情報収集エージェントプログラム（１１４）により収集した結果を収集結果編集手段（１１９）により設備定義情報単位に編集し直すことにより、運用保守員が設備定義情報の選択を行ったのと同じ単位で設備メンテナンスマンマシン手段（１１２）に通知し、設備定義情報単位に情報収集結果をまとめる作業を運用保守員に代行して行うことができる。
【００８４】
図１５は、本発明の第６実施形態（請求項６及び請求項１５対応）の電力系統監視制御システムの構成図である。
本実施形態の電力系統監視制御システムが、図１３の第５実施形態の電力系統監視制御システムと相違する構成は、情報収集送信管理手段（１１Ｃ）と送信管理データ（１１Ｄ）を設けた点であり、その他の構成は同一であるので、同一部分には同一符号を付して説明する。
【００８５】
本実施形態では、広域ネットワーク装置（１５）を介して制御所システム（１２〜１４）からの情報収集を行う情報収集エージェントプログラム（１１４）と、情報収集エージェントプログラム（１１４）の動作とシステム間の移動をするための動作環境を提供するエージェントプログラム動作手段（１１５）と、周期的に動作し制御所システム（１２〜１４）に対する情報収集が要求時刻より一定時間経過後に収集結果を得ることができたか否かを監視し、収集結果が得られない場合、対象となる制御所システム（１２〜１４）に対し再度情報収集するよう要求する情報収集送信管理手段（１１Ｃ）と、情報収集を要求した制御所システム（１２〜１４）に関する収集結果の取得状況を保存する送信管理データ（１１Ｄ）を備えている。
【００８６】
情報収集の監視は、設備メンテナンスマンマシン手段（１１２）にて運用保守員が更新を行う設備定義情報を選択し、情報収集対象となる制御所システム（１２〜１４）の判定を情報収集先判定手段（１１７）にて行い、情報収集対象の制御所システム（１２〜１４）毎に情報収集編集手段（１１９）で一まとめに編集した後、編集したデータは情報収集送信管理手段（１１Ｃ）に受け渡された時点より開始される。
【００８７】
次に、上記情報収集送信管理手段の作用を図１５の電力系統監視制御システム及び図１６のフローチャート（請求項２１対応）を参照して説明する。
情報収集送信管理手段（１１Ｃ）は、開始の時刻と情報収集対象先の制御所システム（１２〜１４）を識別する情報を送信管理データ（１１Ｄ）に保存し、新規送信要求であれば情報収集の状況（送信回数や送信時刻）を要求中に設定すると共に、情報収集エージェントプログラム（１１４）に対して情報収集を要求する（ステップＳ６１）。
【００８８】
情報収集エージェントプログラム（１１４）は制御所システム（１２〜１４）に移動して情報収集を行い、収集結果を得た場合は情報収集エージェントプログラム（１１４）から情報収集送信管理手段（１１Ｃ）に対し新規送信要求でなく、送信が完了したことを通知する。情報収集送信管理手段（１１Ｃ）は、この通知を受けた時点で送信管理データ（１１Ｄ）に保存してある要求を行った情報収集に関するデータを削除する（ステップＳ６２）。情報収集送信管理手段（１１Ｃ）は、動作時に送信管理データ（１１Ｄ）に保存してある要求開始時刻と現在時刻とを比較し一定時間経過しても収集結果を得ることができなかった場合に、再度情報収集エージェントプログラム（１１４）に対して情報収集の要求を行う（ステップＳ６３）と共に、送信管理データ（１１Ｄ）にリトライ回数を保存（ステップＳ６４）する。情報収集送信管理手段（１１Ｃ）は情報収集に関する収集結果の通知が得られるまで情報収集エージェントプログラム（１１４）に対して再要求を繰り返し行い、また一定時間スリーブし、周期的に動作する（ステップＳ６６）。このようにしてリトライ回数が一定回数を超えた時点で情報収集不可と判定し、収集結果解析手段（１１Ａ）に通知し、送信管理データをクリア（ステップＳ６５）することで、情報収集に関する管理を実現する。
【００８９】
本実施形態によれば、設備メンテナンスマンマシン手段（１１２）にて選択した設備定義情報に関する情報収集を情報収集編集手段（１１９）が情報収集先判定手段（１１７）と収集先関係付けデータ（１１８）により収集対象の制御所システム（１２〜１４）毎に情報を一まとめに編集した後、各々の制御所システム（１２〜１４）に対する情報収集の要求時刻、要求箇所を送信管理データ（１１Ｄ）に保存し、要求時刻からの経過時間により情報収集エージェントプログラム（１１４）及びエージェントプログラム動作手段（１１５）による情報収集結果が取得できているか否かの監視を行う。要求時刻を一定時間経過しても情報収集結果を取得できない場合は、再度情報収集エージェントプログラム（１１４）に対して再度情報収集を要求する。情報収集エージェントプログラム（１１４）は広域ネットワーク装置（１５）などで発生した障害や伝送路の高負荷が原因で情報収集が正常に行えない場合の救済処置として、情報収集の再要求を行う際には前回要求時とは別経路を模索しその結果をもとに同一制御所システム（１２〜１４）への情報収集の要求を行ったり、監視時間の延長を行った後に再要求を行う。更に情報収集依頼を行った制御所システム（１２〜１４）において、情報収集マンマシン手段（１２２）での入力作業が滞っていることが原因などで収集結果が取得できない場合の救済処置として、制御所システム（１２〜１４）側の運用保守員に対して情報収集の催促を情報収集マンマシン手段（１２２）を用いて行うため、情報収集に関する結果取得に関する監視や催促の作業を情報収集の依頼を行ったシステムの運用保守員に代行して行えることができる。
【００９０】
図１７は、本発明の第７実施形態（請求項７及び請求項１６対応）の電力系統監視制御システムの構成図である。
本実施形態の電力系統監視制御システムが、図１５の第６実施形態の電力系統監視制御システムと相違する構成は、収集結果チェック手段（１１Ｅ）を設けた点であり、その他の構成は同一であるので、同一部分には同一符号を付して説明する。
【００９１】
本実施形態では、広域ネットワーク装置（１５）を介して制御所システム（１２〜１４）からの情報収集を行う情報収集エージェントプログラム（１１４）と、情報収集エージェントプログラム（１１４）の動作とシステム間の移動をするための動作環境を提供するエージェントプログラム動作手段（１１５）と、情報収集エージェントプログラム（１１４）により制御所システム（１２〜１４）に対して行った収集結果を設備メンテナンスマンマシン手段（１１２）に通知する代わりに、制御所システム（１２〜１４）単位に実施した収集結果を基に設備メンテナンスマンマシン（１１２）での入力単位である設備定義情報単位にデータを編集し直す収集結果編集手段（１１Ａ）と、設備定義情報単位で編集し直した収集結果を保存する収集結果編集データ（１１Ｂ）と、収集結果が制御所システム（１２〜１４）間で不整合が生じていないかや設備定義に関する許容値を逸脱していないかのチェックを行う収集結果チェック手段（１１Ｅ）を備えている。
【００９２】
次に、上記収集結果チェック手段の作用を図１７の電力系統監視制御システムと図１８のフローチャート（請求項２２対応）を参照して説明する。
収集結果のチェック手段（１１Ｅ）は、収集結果編集手段（１１Ａ）により設備定義情報単位に保存された収集結果編集データ（１１Ｂ）を用いて、各設備定義項目に対する制御所システム（１２〜１４）毎の収集結果と系統設備データベース（１１１）内にて系統設備の種類毎に定義されている変圧器の定格容量や発電機の認可出力等の系統設備データベース（１１１）に格納可能な許容値との比較チェック（ステップＳ７１）を行う。
【００９３】
この比較チェックにて異常と判定された場合には、チェック結果を設備メンテナンスマンマシン手段（１１２）に通知（ステップＳ７２）し、チェックが正常と判定された場合には送電線の設備定義情報など複数の制御所システム（１２〜１４）に対して情報収集を要求したものと系統設備データベース（制御所毎）（１２１）より参照可能な系統設備定義情報毎の関連よりその送電線に関連する機器に関して、制御所システム間での収集結果が一致しているかや送電線やその関連機器に関する電圧階級の定義内容が一致しているか等の整合性チェック（ステップＳ７３）を行い、整合性チェックにて異常と判定された収集結果に関しては設備メンテナンスマンマシン手段（１１２）に対して数分繰り返し（ステップＳ７４）行われる。
【００９４】
本実施形態によれば、設備メンテナンスマンマシン手段（１１２）にて選択した設備定義情報に関する情報収集を情報収集編集手段（１１９）が情報収集先判定手段（１１７）と収集先関係付けデータ（１１８）により収集対象の制御所システム（１２〜１４）毎に情報を一まとめに編集し、各々の制御所システム（１２〜１４）に対する情報収集の要求時刻、要求箇所を送信管理データ（１１Ｄ）に保存することで、収集の監視を時間の経過と共に行いながら、情報収集エージェントプログラム（１１４）及びエージェントプログラム動作手段（１１５）により制御所システム（１２〜１４）より情報収集を行った結果が、収集結果解析手段（１１Ａ）により設備定義情報単位に収集結果編集データ（１１Ｂ）に保存され、この収集結果編集データ（１１Ｂ）を用いて収集結果チェック手段（１１Ｅ）が制御所システム（１２〜１４）間での整合性チェックや設備定義項目と許容値との比較チェックを実施し、収集結果と共にチェック実施結果を設備メンテナンスマンマシン手段（１１２）に通知を行うことで、運用保守員に代行し収集結果のチェックを行うことができる。
【００９５】
図１９は、本発明の第８実施形態（請求項８及び請求項１７対応）の電力系統監視制御システムの構成図である。
本実施形態の電力系統監視制御システムが、図１７の第７実施形態の電力系統監視制御システムと相違する構成は、収集結果調整手段（１１Ｆ）と調整済み結果編集データ（１１Ｇ）を設けた点であり、その他の構成は同一であるので、同一部分には同一符号を付して説明する。
【００９６】
本実施形態では、広域ネットワーク装置（１５）を介して制御所システム（１２〜１４）からの情報収集を行う情報収集エージェントプログラム（１１４）と、情報収集エージェントプログラム（１１４）の動作とシステム間の移動をするための動作環境を提供するエージェントプログラム動作手段（１１５）と、情報収集エージェントプログラム（１１４）により制御所システム（１２〜１４）に対して行った収集結果を設備定義情報単位にデータを編集し直す収集結果編集手段（１１Ａ）と、設備定義情報単位で編集し直した収集結果を保存する収集結果編集データ（１１Ｂ）と、収集結果が制御所システム（１２〜１４）間で不整合が生じていないかや設備定義に関する許容値を逸脱していないかのチェックを行う収集結果チェック手段（１１Ｅ）と、チェック異常と判定された収集結果編集データ（１１Ｂ）を用いて制御所システム（１２〜１４）への再情報収集を要求する収集結果調整手段（１１Ｆ）と、収集結果調整手段（１１Ｆ）によりチェック済みの収集結果を保存する調整済み結果編集データ（１１Ｇ）を備えている。
【００９７】
次に、上記収集結果調整手段の作用を図１９の電力系統監視制御システムと図２０のフローチャート（請求項２３対応）を参照して説明する。
収集結果の調整手段は、収集結果編集データ（１１Ｂ）にて設備定義情報単位に一まとめにされたデータをもとにして、収集結果調整手段（１１Ｆ）が、各設備定義情報に関する収集結果が正常であるか異常であるかを収集結果チェック手段（１１Ｅ）で行い（ステップＳ８１）、その結果チェック異常の場合は、チェック内容及び異常となった原因を収集結果チェック手段（１１Ｅ）より通知し、このチェック結果をもとに異常な収集結果を収集した制御所システム（１２〜１４）に対しては再度情報収集を行えるようチェック内容及び異常となった原因を付け加えて作成し（ステップＳ８２）、情報収集送信管理手段（１１Ｃ）に対して情報収集を要求（ステップＳ８３）する。再度情報収集を行った際の収集結果保存データ（１１Ｂ）をもとにチェック済みの収集結果を調整済み結果編集データ（１１Ｇ）に設備定義情報単位に保存する（ステップＳ８４）。
【００９８】
本実施形態によれば、情報収集エージェントプログラム（１１４）により収集した結果を収集結果編集手段（１１Ａ）により設備定義情報単位に編集し直した収集結果保存データ（１１Ｂ）を参照し、収集結果チェック手段（１１Ｅ）を用いて制御所システム（１２〜１４）間での整合性チェックや許容値に対する逸脱チェックを行い、チェック異常の収集結果に関する再情報収集要求を行うことにより、収集結果が異常な場合の再情報収集を行う作業を運用保守員に代行して行うことができる。
【００９９】
図２１は、本発明の第９実施形態（請求項９及び請求項１８対応）の電力系統監視制御システムの構成図である。
本実施形態の電力系統監視制御システムが、図１９の第８実施形態と相違する構成は、更新内容決定手段（１１Ｈ）を設けた点であり、その他の構成は同一であるので、同一部分には同一符号を付して説明する。
【０１００】
本実施形態では、広域ネットワーク装置（１５）を介して制御所システム（１２〜１４）からの情報収集を行う情報収集エージェントプログラム（１１４）と、情報収集エージェントプログラム（１１４）の動作とシステム間の移動をするための動作環境を提供するエージェントプログラム動作手段（１１５）と、情報収集エージェントプログラム（１１４）により制御所システム（１２〜１４）に対して行った収集結果を設備定義情報単位にデータを編集し直す収集結果編集手段（１１Ａ）と、設備定義情報単位で編集し直した収集結果を保存する収集結果編集データ（１１Ｂ）と、収集結果が制御所システム（１２〜１４）間で不整合が生じていないかや設備定義に関する許容値を逸脱していないかのチェックを行う収集結果チェック手段（１１Ｅ）と、チェック異常と判定された場合に収集結果編集データ（１１Ｂ）を用いて制御所システム（１２〜１４）への再情報収集を要求する収集結果調整手段（１１Ｆ）と、収集結果調整手段（１１Ｆ）によりチェック済みの収集結果を保存する調整済み編集データ（１１Ｇ）と、調整済み結果編集データ（１１Ｇ）を参照して系統設備データベース（１１１）の更新を行うデータベース更新手段（１１３）と、更新内容を運用保守員に伝えるための設備メンテナンスマシン手段（１１２）に調整済み結果編集データ（１１Ｇ）の内容を伝える更新内容決定手段（１１Ｈ）を備えている。
【０１０１】
次に、上記更新内容決定手段の作用を図２１の電力系統監視制御システムと図２２のフローチャート（請求項２４）を参照して説明する。
更新内容決定手段（１１Ｈ）は、調整済み結果編集データ（１１Ｇ）を参照（ステップＳ９１）してチェック済みの異常のないデータをデータベース更新手段（１１３）に渡し（ステップＳ９２）、データベース更新手段（１１３）は渡されたデータをもとに系統設備データベース（１１１）を更新する。この更新内容は設備メンテナンスマンマシン手段（１１２）により運用保守員に通知される。
【０１０２】
本実施形態によれば、収集結果編集手段（１１Ｆ）が設備定義情報単位で編集した収集結果が、収集結果チェック手段（１１Ｅ）によりチェックされ、チェック後の制御所システム間で整合がとれた異常のないデータを更新内容決定手段（１１Ｈ）により系統設備データベース（１１１）に反映する作業を運用保守員に代行して行うことができ、運用保守員は設備メンテナンスマシン手段（１１２）によりその反映結果を知ることができる。
【０１０３】
本発明の第１０実施形態（請求項１０対応）は、設備データベースメンテナンス方式を動作させるためのソフトウェアプログラムを記憶する記憶媒体に関するものである。
【０１０４】
前述した第１実施形態から第９実施形態において記載した手段は、コンピュータに実行させることのできるプログラムとして、例えば磁気ディスク、光ディスク、半導体メモリ、フレキシブルディスクなどの記憶媒体に書き込んで別の各種装置に適用したり、通信媒体により伝送して別の各種装置に適用することも可能である。
【０１０５】
本記憶媒体を実行するコンピュータは、記憶媒体に記憶されたプログラムを読み込み、このプログラムによって動作が制御されることにより、上述した各実施形態の処理を実行することができる。
【０１０６】
【発明の効果】
以上説明したように、本発明によれば、上位系統括制御システムで系統設備データベースを一元管理すると共に、運用保守員が実施していた業務内容の代行を可能とする電力系統監視制御システムとその制御方法及びそのプログラムを提供することができる。
【図面の簡単な説明】
【図１】本発明の第１実施形態の電力系統監視制御システムの構成図。
【図２】図１における代表的な電力系統設備図。
【図３】図１における設備定義情報のうち電気所と設備及び機器の関係付け定義を示す図。
【図４】図１における設備定義情報のうち機器と設備、送電線、伝送装置の関係付け定義を示す図。
【図５】図１の情報収集の実施方法を示すフローチャート。
【図６】本発明の第２実施形態の電力系統監視制御システムの構成図。
【図７】図６のデータベース一元管理の実施方法を示すフローチャート。
【図８】本発明の第３実施形態の電力系統監視制御システムの構成図。
【図９】図８における情報収集先を判定する収集先関係付け定義を示す図。
【図１０】本発明の第４実施形態の電力系統監視制御システムの構成図。
【図１１】図１０の制御所システム単位に編集される情報収集を示すフローチャート。
【図１２】図１０の情報収集編集手段による編集データの構成図。
【図１３】本発明の第５実施形態の電力系統監視制御システムの構成図。
【図１４】図１３の収集結果編集データの構成図。
【図１５】本発明の第６実施形態の電力系統監視制御システムの構成図。
【図１６】図１５の情報収集送受信手段のフローチャート。
【図１７】本発明の第７実施形態の電力系統監視制御システムの構成図。
【図１８】図１７の情報収集編集手段のフローチャート。
【図１９】本発明の第８実施形態の電力系統監視制御システムの構成図。
【図２０】図１９の収集結果調整手段のフローチャート。
【図２１】本発明の第９実施形態の電力系統監視制御システムの構成図。
【図２２】図２１の更新内容決定手段のフローチャート。
【図２３】従来の電力系統監視制御システムの構成図。
【符号の説明】
１１…上位系統括制御システム、１２，１３，１４…制御所システム、１５…広域ネットワーク装置、１１１…系統設備データベース、１１２…設備メンテナンスマンマシン手段、１１３…データベース更新手段、１１４…情報収集エージェントプログラム、１１５…エージェントプログラム動作手段、１１６…データベース一元管理手段、１１７…情報収集先判定手段、１１８…収集先関係付けデータ、１１９…情報収集編集手段、１１Ａ…収集情報解析手段、１１Ｂ…収集結果編集データ、１１Ｃ…情報収集送受信管理手段、１１Ｄ…送信管理データ、１１Ｅ…収集結果チェック手段、１１Ｆ…収集結果調整手段、１１Ｈ…更新内容決定手段、１１Ｇ…調整済み結果編集データ、１２１…系統設備データベース（制御所毎）、１２２…情報収集マンマシン手段、２０１…系統設備データベース、２０２…設備メンテナンスマンマシン手段、２０３…データベース更新手段。
【図１】
2004312874.tif 000003
【図２】
2004312874.tif 000004
【図３】
2004312874.tif 000005
【図４】
2004312874.tif 000006
【図５】
2004312874.tif 000007
【図６】
2004312874.tif 000008
【図７】
2004312874.tif 000009
【図８】
2004312874.tif 000010
【図９】
2004312874.tif 000011
【図１０】
2004312874.tif 000012
【図１１】
2004312874.tif 000013
【図１２】
2004312874.tif 000014
【図１３】
2004312874.tif 000015
【図１４】
2004312874.tif 000016
【図１５】
2004312874.tif 000017
【図１６】
2004312874.tif 000018
【図１７】
2004312874.tif 000019
【図１８】
2004312874.tif 000020
【図１９】
2004312874.tif 000021
【図２０】
2004312874.tif 000022
【図２１】
2004312874.tif 000023
【図２２】
2004312874.tif 000024
【図２３】
2004312874.tif 000025